(57)【要約】【課題】被験者が検査を意識することなく、被験者から生体情報を取得し、被験者の所定期間における生体情報を測定日時情報と共に記録し、これらの情報をまとめて医者等の検査者に提供できるようにする。【解決手段】生体情報収集システム１０は、施設内及び／又は被験者に配設され、前記被験者の生体情報を測定し、該生体情報と共にその測定日時情報を送信する生体情報検出センサと、被験者が所持する情報蓄積素子１６と、施設２０への被験者の入退出を検出し、情報蓄積素子１６からの情報を取得して記憶する管理装置１８とを有する。情報蓄積素子１６は、被験者のＩＤコードが登録され、生体情報検出センサ１２から送信された生体情報及び測定日時データを受信し、該生体情報及び測定日時データを管理装置１８に送信する送受信部と、生体情報及び測定日時データを記憶するメモリ部とを有する。【選択図】図１
2006263101.tif 000002
【特許請求の範囲】
【請求項１】
施設内及び／又は被験者に配設され、前記被験者の生体情報を測定し、該生体情報と共にその測定日時情報を送信する生体情報検出センサと、
前記被験者が所持する情報蓄積素子とを有し、
前記情報蓄積素子は、
前記被験者のＩＤ情報が登録され、前記生体情報検出センサから送信された前記生体情報と前記測定日時情報を受信する受信手段と、
所定期間内に測定された複数の生体情報及び測定日時情報を記憶する記憶手段と、
前記記憶手段に記憶された前記ＩＤ情報、前記生体情報及び前記測定日時情報を送信する送信手段とを有することを特徴とする生体情報収集システム。
【請求項２】
請求項１記載の生体情報収集システムにおいて、
前記生体情報検出センサは、前記生体情報に加えて、前記生体情報を特定する生体情報コードを送信し、
前記情報蓄積素子の前記受信手段は、前記生体情報に加えて、前記生体情報コードを受信し、
前記情報蓄積素子の前記記憶手段は、前記生体情報コード別に前記生体情報及び前記測定日時情報を記憶することを特徴とする生体情報収集システム。
【請求項３】
請求項１又は２記載の生体情報収集システムにおいて、
さらに、管理装置を有し、
前記管理装置は、前記施設への前記被験者の入退出を検出する入退出検出手段と、
前記入退出検出手段にて前記被験者が前記施設から退出することを検出した際に、該被験者が所持する前記情報蓄積素子と通信を行って前記情報蓄積素子の前記記憶手段に記憶されている情報を取得する通信手段と、
前記通信手段によって取得した前記情報を記憶する情報記憶手段とを有することを特徴とする生体情報収集システム。
【発明の詳細な説明】
【技術分野】
【０００１】
本発明は、被験者の生体情報を測定し、その測定値に基づいて、被験者の健康状態の管理を行う上で好適な生体情報収集システムに関する。
【背景技術】
【０００２】
従来、生体情報収集システムとして、特許文献１に示されるシステムがある。この従来の生体情報収集システムは、以下のような機能を有する。すなわち、ＩＤキーが入力されているＩＣカードを被験者が所有しており、生体情報測定手段によって測定された生体情報がＩＣカードに一時的に記録される。
【０００３】
ＩＣカードに記録された生体情報は、ＩＤキーと共に読み出され、生体情報記録手段に記録される。生体情報記録手段には、測定された生体情報が時系列データとして保存される。
【０００４】
ＩＣカードへの情報の読み書きは、電波等を用いた無線による方法を採用することができる。生体情報測定手段による生体情報の測定は、被験者が意識することなく、基本的には自動的に行われる。
【０００５】
【特許文献１】特開２０００−１２６１３８号公報
【発明の開示】
【発明が解決しようとする課題】
【０００６】
しかしながら、従来のシステムにおいては、ＩＣカード自体に、個人の生体情報を測定日時情報と共に記録する点について開示がない。また、ＩＣカード自体に、所定期間内に複数回測定した生体情報を蓄積するという考えがない。また、ＩＣカード自体に、種類の異なる生体情報を生体情報コードと共に蓄積する考えもない。
【０００７】
本発明はこのような課題を考慮してなされたものであり、被験者が検査を意識することなく、被験者から生体情報を取得し、被験者の所定期間における生体情報を測定日時情報と共に記録し、これらの情報をまとめて医者等の検査者に提供することで、被験者の健康状態等を高精度に分析させることができる生体情報収集システムを提供することを目的とする。
【課題を解決するための手段】
【０００８】
本発明に係る生体情報収集システムは、施設内及び／又は被験者に配設され、前記被験者の生体情報を測定し、該生体情報と共にその測定日時情報を送信する生体情報検出センサと、前記被験者が所持する情報蓄積素子とを有し、前記情報蓄積素子は、前記被験者のＩＤ情報が登録され、前記生体情報検出センサから送信された前記生体情報と前記測定日時情報を受信する受信手段と、所定期間内に測定された複数の生体情報及び測定日時情報を記憶する記憶手段と、前記記憶手段に記憶された前記ＩＤ情報、前記生体情報及び前記測定日時情報を送信する送信手段とを有することを特徴とする。
【０００９】
これにより、被験者が検査を意識することなく、被験者から生体情報を収集することができる。被験者の所定期間における生体情報を測定日時情報と共に記録し、これらの情報をまとめて医者等の検査者に提供することができる。検査者は、生体情報の経時的変化から、被験者の健康状態等を高精度に分析することが可能となる。
【００１０】
そして、前記生体情報検出センサは、前記生体情報に加えて、前記生体情報を特定する生体情報コードを送信し、前記情報蓄積素子の前記受信手段は、前記生体情報に加えて、前記生体情報コードを受信し、前記情報蓄積素子の前記記憶手段は、前記生体情報コード別に前記生体情報及び前記測定日時情報を記憶するようにしてもよい。
【００１１】
また、前記構成に、さらに、管理装置を有し、前記管理装置は、前記施設への前記被験者の入退出を検出する入退出検出手段と、前記入退出検出手段にて前記被験者が前記施設から退出することを検出した際に、該被験者が所持する前記情報蓄積素子と通信を行って前記情報蓄積素子の前記記憶手段に記憶されている情報を取得する通信手段と、前記通信手段によって取得した前記情報を記憶する情報記憶手段とを有するようにしてもよい。
【発明の効果】
【００１２】
以上説明したように、本発明に係る生体情報収集システムによれば、被験者が検査を意識することなく、被験者から生体情報を取得し、被験者の所定期間における生体情報を測定日時情報と共に記録し、これらの情報をまとめて医者等の検査者に提供することで、被験者の健康状態等を高精度に分析させることができる。
【発明を実施するための最良の形態】
【００１３】
以下、本発明に係る生体情報収集システムの実施の形態例を図１〜図１１を参照しながら説明する。
【００１４】
本実施の形態に係る生体情報収集システム１０は、図１に示すように、複数の生体情報検出センサ１２と、被験者（図示せず）が所持する情報蓄積素子１６と、管理装置１８とを有する。
【００１５】
生体情報検出センサ１２は、被験者が入退出する施設２０内に配設及び／又は被験者に配設され、且つ、被験者の生体情報を測定し、該生体情報と共にその測定日時情報を送信する機能を有する。
【００１６】
生体情報検出センサ１２の例としては、電子体温計１２Ａ、電子体重計１２Ｂ、電子体脂肪計１２Ｃ、電子血圧計１２Ｄ、電子血糖値センサ１２Ｅ等である。
【００１７】
例えば電子体温計１２Ａは、被験者の体温を測定し、測定日時と測定値に関する情報（測定値、測定日時データ、体温を示す生体情報コード）を送信する。電子体重計１２Ｂは、被験者の体重を測定し、測定日時と測定値に関する情報（測定値、測定日時データ、体重を示す生体情報コード）を送信する。電子体脂肪計１２Ｃは、被験者の体脂肪を測定し、測定日時と測定値に関する情報（測定値、測定日時データ、体脂肪を示す生体情報コード）を送信する。電子血圧計１２Ｄは、被験者の血圧を測定し、測定日時と測定値に関する情報（測定値、測定日時データ、血圧を示す生体情報コード）を送信する。電子血糖値センサ１２Ｅは、被験者の血糖値を測定し、測定日時と測定値に関する情報（測定値、測定日時データ、血糖値を示す生体情報コード）を送信する。
【００１８】
これら生体情報検出センサ１２は、例えば定期的に自動で測定を行うようになっている。つまり、各生体情報検出センサ１２は、基本的には、図２に示すように、定期的に発生する内部割込みに基づいて測定を行う測定部２２と、該測定部２２にて測定した結果（生体情報：測定値）や測定時刻データが一時的に格納される送信ファイル２４を有するメモリ部２６と、該メモリ部２６の送信ファイル２４に格納された内容（生体情報、測定日時データ）を、生体情報を特定するコード（生体情報コード）と共に送信する送信部２８と、これら測定部２２と送信部２８を制御する制御部３０とを有する。
【００１９】
図１に示すように、被験者が所持する情報蓄積素子１６は、パッケージ部材４２に実装された回路部４４（ＩＣチップを含む）と、パッケージ部材４２に配線され、回路部４４に接続された小型アンテナ４６とが一体的に実装された無線ＩＣタグ４７（ＲＦＩＤタグあるいは電子タグ等とも称される）を有する。
【００２０】
情報蓄積素子１６としては、被験者が所持し易いように、カード型の情報蓄積素子１６Ａ（図４参照）、指輪型の情報蓄積素子１６Ｂ（図５参照）、ピアス型の情報蓄積素子１６Ｃ（図６参照）等がある。
【００２１】
カード型の情報蓄積素子１６Ａは、図３に示すように、パッケージ部材４２が樹脂製であって、例えばクレジットカードのサイズ及び厚みを有し、このパッケージ部材４２の内部に回路部４４と小型アンテナ４６が実装されて構成されている。
【００２２】
指輪型の情報蓄積素子１６Ｂは、図４に示すように、パッケージ部材４２が樹脂製であって、例えばほぼリング状に形成され、その内部に回路部４４と小型アンテナ４６が実装されて構成されている。特に、被験者の指の太さの違いに対応するため、パッケージ部材４２の一部に切欠き部４８を有する。指の太い被験者は、パッケージ部材４２が弾性変形あるいは塑性変形して、切欠き部４８が広がるため、指に嵌めることができる。
【００２３】
ピアス型の情報蓄積素子１６Ｃは、図５に示すように、樹脂製の板状のパッケージ部材４２の一部に、被験者の耳に付ける金具を通すための貫通孔５０が形成されている。パッケージ部材４２の内部には回路部４４と小型アンテナ４６が実装されている。
【００２４】
そして、これら情報蓄積素子１６は、送受信機能と情報蓄積機能を有し、図６に示すように、電源部５２と、送受信部５４と、メモリ部５６と、これら送受信部５４及びメモリ部５６を制御する制御部５８とを有する。
【００２５】
送受信部５４は、生体情報検出センサ１２からの情報や管理装置１８からの指示を受信し、管理装置１８からの指示に基づいてメモリ部５６に記憶されている情報を送信する。
【００２６】
メモリ部５６は、送受信部５４にて受信した生体情報検出センサ１２からの情報を記憶する。
【００２７】
また、メモリ部５６には、特定のアドレスにＩＤ情報（ＩＤコード）が記憶され、さらに、被験者情報６０が記憶されるようになっている。
【００２８】
被験者情報６０は、生体情報コードの種類に対応した複数の生体情報ファイル６２を有する。
【００２９】
各生体情報ファイル６２は、図７に示すように、生体情報コードに加えて、測定日時データと該測定日時における生体情報（測定値）が対応付けられて登録されるようになっている。
【００３０】
管理装置１８は、図８に示すように、入退出検出部６６と、送受信部６８と、ＩＤ情報取得部７０と、被験者情報取得部７２と、メモリ部７４と、情報解析部７６と、これら入退出検出部６６、送受信部６８、ＩＤ情報取得部７０、被験者情報取得部７２、メモリ部７４、情報解析部７６を制御する制御部７８とを有する。また、この管理装置１８には、例えば情報解析部７６での解析結果を表示する表示部８０が接続されている。
【００３１】
入退出検出部６６は、施設２０の出入口に設置され、該施設２０への被験者の入退出を検出する。光センサ等で構成することができる。
【００３２】
ＩＤ情報取得部７０は、入退出検出部６６にて被験者が施設２０に入ったことを検出した際に、被験者が所持する情報蓄積素子１６に対してＩＤコードの送信指示を送受信部６８を介して行い、前記指示に基づいて情報蓄積素子１６から送信されてきたＩＤコードを受け取るという処理を行う。
【００３３】
被験者情報取得部７２は、入退出検出部６６にて被験者が施設２０から退出することを検出した際に、該被験者が所持する情報蓄積素子１６に対して被験者情報６０の送信指示を送受信部６８を介して行い、前記指示に基づいて情報蓄積素子１６から送信されてきた被験者情報６０を受け取るという処理を行う。
【００３４】
メモリ部７４は、ＩＤコードの種類に対応した複数のデータファイル８２が論理的に割り付けられ、各データファイル８２には、ＩＤコードと、該ＩＤコードに対応する被験者の被験者情報６０（生体情報コードの種類に対応した複数の生体情報ファイル６２）が格納されるようになっている。
【００３５】
情報解析部７６は、制御部７８からの指示（ＩＤ情報を含む指示）に基づいて、メモリ部７４に記憶されている複数のデータファイル８２のうち、制御部７８から指示のあったＩＤ情報に対応するデータファイル８２を読み出して、統計的な処理を施すことで、当該ＩＤコードに対応する被験者の健康状態の解析が行われる。この解析結果は、表示部８０に表示される。
【００３６】
従って、管理装置１８は、例えば医療機関に設置され、医師等の検査者が表示部を見ながら専門的な解析ができるようになっている。もちろん、例えば被験者が、検査者からのアドバイスを受けられるような体制を整えてもよい。
【００３７】
次に、本実施の形態に係る生体情報収集システム１０の処理動作について図９〜図１１のフローチャートも参照しながら説明する。
【００３８】
最初に、生体情報検出センサ１２の動作について図２及び図９を参照しながら説明すると、まず、図９のステップＳ１において、測定開始の要求があったか否かが判別される。この判別は、定期的に発生する内部割込みがあったかどうかで行われる。
【００３９】
測定開始の要求があった場合は、次のステップＳ２に進み、測定部２２（図２参照）による測定を開始する。この測定においては、被験者の体温、体重、体脂肪、血圧、血糖値等が測定される。測定値（生体情報）はメモリ部２６の送信ファイル２４に格納される。
【００４０】
測定が終了した段階で、次のステップＳ３に進み、測定部２２は、現在の時刻データを取得して送信ファイル２４に格納する。この時刻データは、生体情報収集システム１０にある時計（図示せず）から容易に取得することができる。
【００４１】
その後、ステップＳ４において、送信部２８は、メモリ部２６の送信ファイル２４に格納された内容（生体情報、測定日時データ）を、生体情報コードと共に送信する。送信されたデータは、現在測定中の被験者が所持している情報蓄積素子１６にて受信されることになる。
【００４２】
そして、次のステップＳ５において、生体情報検出センサ１２に対する終了要求（電源断やメンテナンス割込み）があったか否かが判別される。終了要求がない場合は、ステップＳ１に戻り、次の測定開始を待つ。終了要求があった場合は、この生体情報検出センサ１２での処理動作が終了する。
【００４３】
次に、被験者が所持する情報蓄積素子１６の処理動作について図６及び図１０を参照しながら説明する。
【００４４】
まず、図１０のステップＳ１０１において、送受信部５４は、生体情報検出センサ１２、管理装置１８からの送信を待つ。
【００４５】
送信があった場合は、次のステップＳ１０２に進み、今回受信した内容が管理装置１８からの指示であるか否かが判別される。
【００４６】
管理装置１８からの指示でなければ、次のステップＳ１０３に進み、生体情報検出センサ１２からの情報（生体情報コード、生体情報、測定日時データ）を送受信部５４を通じて受け取る。受け取られた情報はメモリ部５６に格納される。具体的には、メモリ部５６に割り付けられている複数の生体情報ファイル６２のうち、生体情報コードに対応する生体情報ファイル６２に、今回の測定日時データと生体情報とが対応付けて格納される。
【００４７】
一方、前記ステップＳ１０２において、管理装置１８からの指示であると判別された場合は、ステップＳ１０４に進み、今回の指示が被験者の入室（被験者が施設に入ったことを示す）に伴うＩＤコードの送信指示であるか否かが判別される。
【００４８】
被験者の入室に伴うＩＤコードの送信指示であれば、次のステップＳ１０５に進み、メモリ部５６における特定のアドレスに記憶されているＩＤコードを送受信部５４を通じて管理装置１８に送信する。
【００４９】
前記ステップＳ１０５において、被験者の退出に伴う被験者情報の送信指示であると判別された場合は、ステップＳ１０６に進み、メモリ部５６に記憶されているＩＤコードと被験者情報（複数の生体情報ファイル６２）を送受信部５４を通じて管理装置１８に送信する。
【００５０】
前記ステップＳ１０３での処理が終了した段階、あるいは前記ステップＳ１０５での処理が終了した段階、あるいは前記ステップＳ１０６での処理が終了した段階で次のステップＳ１０７に進み、情報蓄積素子１６に対する終了要求（電源断や被験者からの取り外し、メンテナンス割込み等）があったか否かが判別される。終了要求がない場合は、ステップＳ１０１に戻り、次の受信を待つ。終了要求があった場合は、この情報蓄積素子１６での処理動作が終了する。
【００５１】
次に、管理装置１８の処理動作について図８及び図１１を参照しながら説明する。まず、図１１のステップＳ２０１において、入退出検出部６６は、施設２０への被験者の入室（被験者が施設２０に入ったことを示す）があったか否かが判別される。被験者の入室を検出した場合は、次のステップＳ２０２に進み、送受信部６８は、入室した被験者が所持する情報蓄積素子１６に対してＩＤコードの送信指示を示す割込み信号を送信する。
【００５２】
送信対象の情報蓄積素子１６では、上述したように、図１０のステップＳ１０５において、ＩＤコードを管理装置１８に送信する。管理装置１８のＩＤ情報取得部７０は、ステップＳ２０３において、情報蓄積素子１６から送信されてきたＩＤコードを送受信部６８を通じて受け取り、さらに、ステップＳ２０４において、入室時刻データを取得する。この入室時刻データは、生体情報収集システム１０にある時計（図示せず）から容易に取得することができる。
【００５３】
その後、ステップＳ２０５において、今回のＩＤコードに対応するデータファイル８２をメモリ部７４に確保する。このデータファイル８２には、被験者の被験者情報６０が格納できる程度の記憶容量となっている。
【００５４】
前記ステップＳ２０５での処理が終了した段階、あるいは前記ステップＳ２０１において被験者の入室が検出されなかった場合は、次のステップＳ２０６に進み、入退出検出部６６は、施設２０から被験者の退出（被験者が施設２０から出たことを示す）があったか否かが判別される。被験者の退出を検出した場合は、次のステップＳ２０７に進み、送受信部６８は、退出する被験者が所持する情報蓄積素子１６に対して被験者情報６０の送信指示を示す割込み信号を送信する。
【００５５】
送信対象の情報蓄積素子１６では、上述したように、図１０のステップＳ１０６において、ＩＤコードと被験者情報６０を管理装置１８に送信する。管理装置１８の送受信部６８は、ステップＳ２０８において、情報蓄積素子１６から送信されてきた情報のうち、ＩＤコードを受け取り、次いで、ステップＳ２０９において、退出時刻データを取得する。さらに、ステップＳ２１０において、情報蓄積素子１６から送信されてきた情報のうち、被験者情報６０を受け取り、次のステップＳ２１１において、複数のデータファイル８２のうち、今回のＩＤコードに対応するデータファイル８２に今回の被験者情報６０を格納する。
【００５６】
その後、ステップＳ２１２において、情報解析部７６は、今回のＩＤコードに対応する被験者の被験者情報６０、入室時刻データ及び退出時刻データを読み出して、統計的な処理を施し、当該ＩＤコードに対応する被験者の健康状態等の解析を行う。この解析結果は、表示部８０に表示される。
【００５７】
そして、次のステップＳ２１３において、管理装置１８に対する終了要求（電源断やメンテナンス割込み）があったか否かが判別される。終了要求がない場合は、ステップＳ２０１に戻り、該ステップＳ２０１以降の処理を繰り返す。終了要求があった場合は、この管理装置１８での処理動作が終了する。
【００５８】
このように、本実施の形態に係る生体情報収集システム１０においては、被験者が検査を意識することなく、被験者から生体情報及び測定日時データを収集することができる。また、被験者の所定期間（例えば被験者が施設に入室した時刻から施設から退出した時刻までの時間）における生体情報を測定日時データと共に記録し、これらの情報をまとめて医者等の検査者に提供することができる。検査者は、生体情報の経時的変化から、被験者の健康状態等を高精度に分析することが可能となる。
【００５９】
上述の例では、所定期間として、被験者が施設に入室した時刻から施設から退出した時刻までの時間としたが、その他、データバッファに記録されている測定時刻データのうち、最も古い時刻から新しい時刻までの時間にしてもよいし、１時間単位や２時間単位等、定時間としてもよい。これらの時間設定（期間設定）が様々に変更できるのは、データバッファに測定時刻データが記録されていることからも明らかである。
【００６０】
なお、本発明に係る生体情報収集システムは、上述の実施の形態に限らず、本発明の要旨を逸脱することなく、種々の構成を採り得ることはもちろんである。
【図面の簡単な説明】
【００６１】
【図１】本実施の形態に係る生体情報収集システムを示す構成図である。
【図２】本実施の形態に係る生体情報収集システムの生体情報検出センサを示す構成図である。
【図３】カード型の情報蓄積素子を示す構成図である。
【図４】指輪型の情報蓄積素子を示す構成図である。
【図５】ピアス型の情報蓄積素子を示す構成図である。
【図６】本実施の形態に係る生体情報収集システムの情報蓄積素子を示す構成図である。
【図７】生体情報ファイルの内訳の一例を示す説明図である。
【図８】本実施の形態に係る生体情報収集システムの管理装置を示す構成図である。
【図９】生体情報検出センサの処理動作を示すフローチャートである。
【図１０】情報蓄積素子の処理動作を示すフローチャートである。
【図１１】管理装置の処理動作を示すフローチャートである。
【符号の説明】
【００６２】
１０…生体情報収集システム              １２…生体情報検出センサ
１６…情報蓄積素子                      １８…管理装置
【図１】
2006263101.tif 000003
【図２】
2006263101.tif 000004
【図３】
2006263101.tif 000005
【図４】
2006263101.tif 000006
【図５】
2006263101.tif 000007
【図６】
2006263101.tif 000008
【図７】
2006263101.tif 000009
【図８】
2006263101.tif 000010
【図９】
2006263101.tif 000011
【図１０】
2006263101.tif 000012
【図１１】
2006263101.tif 000013